(57)【要約】      （修正有） 【課題】着脱自在の装飾体を用い、ピンバッジのデザインを自由に変更することができ、各種の任意のデザインを有する装飾体を構成することのできるピンバッジを提供する。【解決手段】先端部分にピン用装飾品１０を配したピン部１と、このピン部を装着するためのピン先を係止する係止部２とを有し、該ピンに薄手の花弁状装飾体３を挿通してピン用装飾品と係止部とで花弁状装飾体を係止する。薄手の花弁状装飾体には孔４を有し、一又は二以上の花弁状装飾体の各孔を用いてピン１２を挿通して着脱自在に花弁状装飾体を装着する。【選択図】図１
0003174063.tif 000002
【実用新案登録請求の範囲】
【請求項１】
先端部分にピン用装飾品１０を配したピン部１と、このピン部１を装着するためのピン１２先を係止する係止部２とを有し、
該ピン１２に花弁状装飾体３を挿通してピン用装飾品１０と係止部２とで花弁状装飾体３を係止するものであって、
薄手の花弁状装飾体３には孔４を有し、一又は二以上の花弁状装飾体３の各孔４を用いてピン１２を挿通して着脱自在に装飾体３を装着することを特徴とするピンバッジ。
【請求項２】
装飾体３が花弁状装飾体３に代えて／と共に、萼状装飾体・葉状装飾体・茎状装飾体・花状装飾体・草状装飾体のいずれか一又は二以上を用いることを特徴とする請求項１記載のピンバッジ。
【請求項３】
花弁状装飾体・萼状装飾体・葉状装飾体・茎状装飾体・花状装飾体・草状装飾体のいずれかの／いずれもの装飾体３がフェルトにより構成されていることを特徴とする請求項１又は２のいずれかに記載のピンバッジ。
【請求項４】
花弁状装飾体・萼状装飾体・葉状装飾体・茎状装飾体・花状装飾体・草状装飾体のいずれかの／いずれもの装飾体３が皮により構成されていることを特徴とする請求項１又は２のいずれかに記載のピンバッジ。
【請求項５】
花弁状装飾体・萼状装飾体・葉状装飾体・茎状装飾体・花状装飾体・草状装飾体のいずれかの／いずれもの装飾体３が布地により構成されていることを特徴とする請求項１又は２のいずれかに記載のピンバッジ。
【請求項６】
花弁状装飾体・萼状装飾体・葉状装飾体・茎状装飾体・花状装飾体・草状装飾体のいずれかの／いずれもの装飾体３が編地により構成されていることを特徴とする請求項１又は２のいずれかに記載のピンバッジ。
【請求項７】
花弁状装飾体・萼状装飾体・葉状装飾体・茎状装飾体・花状装飾体・草状装飾体のいずれかの／いずれもの装飾体３が鍵編地により構成されていることを特徴とする請求項１又は２のいずれかに記載のピンバッジ。
【請求項８】
花弁状装飾体・萼状装飾体・葉状装飾体・茎状装飾体・花状装飾体・草状装飾体のいずれかの／いずれもの装飾体３が織地により構成されていることを特徴とする請求項１又は２のいずれかに記載のピンバッジ。
【請求項９】
花弁状装飾体・萼状装飾体・葉状装飾体・茎状装飾体・花状装飾体・草状装飾体のいずれかの／いずれもの装飾体３が不織布により構成されていることを特徴とする請求項１又は２のいずれかに記載のピンバッジ。
【請求項１０】
花弁状装飾体・萼状装飾体・葉状装飾体・茎状装飾体・花状装飾体・草状装飾体のいずれかの／いずれもの装飾体３が紙により構成されていることを特徴とする請求項１又は２のいずれかに記載のピンバッジ。
【請求項１１】
花弁状装飾体・萼状装飾体・葉状装飾体・茎状装飾体・花状装飾体・草状装飾体のいずれかの／いずれもの装飾体３が樹脂により構成されていることを特徴とする請求項１又は２のいずれかに記載のピンバッジ。
【請求項１２】
花弁状装飾体・萼状装飾体・葉状装飾体・茎状装飾体・花状装飾体・草状装飾体が薄手の装飾体３からなることを特徴とする請求項１乃至１１のいずれかに記載のピンバッジ。
【請求項１３】
ピン部１の先端に配したピン用装飾品１０が、宝石又は宝玉からなることを特徴とする請求項１乃至１２のいずれかに記載のピンバッジ。
【請求項１４】
ピン部１の先端に配したピン用装飾品１０が、ビーズにより構成された装飾品からなることを特徴とする請求項１乃至１２のいずれかに記載のピンバッジ。
【請求項１５】
ピン部１の先端に配したピン用装飾品１０が、虫を模した装飾品からなることを特徴とする請求項１乃至１４のいずれかに記載のピンバッジ。
【請求項１６】
ピン部１の先端に配したピン用装飾品１０が、花弁又は花の中心部分を模した装飾品からなることを特徴とする請求項１乃至１４のいずれかに記載のピンバッジ。
【請求項１７】
花弁状装飾体・萼状装飾体・葉状装飾体・茎状装飾体・花状装飾体・草状装飾体の装飾体３には、星形形状の装飾体を含むものであることを特徴とする請求項１乃至１２のいずれかに記載のピンバッジ。
【請求項１８】
花弁状装飾体・萼状装飾体・葉状装飾体・茎状装飾体・花状装飾体・草状装飾体の装飾体３には、ハート形状の装飾体を含むものであることを特徴とする請求項１乃至１２のいずれかに記載のピンバッジ。
【考案の詳細な説明】
【技術分野】
【０００１】
本考案は、ピンバッジの発明に関し、特に宝石類や宝玉類或いは各種の装飾品をその一端に有するピンと、このピンに着脱自在に挿通可能な装飾体からなるピンバッジであって、特に装飾体が花弁や草をモチーフとした装飾体からなるピンバッジに関する。
【背景技術】
【０００２】
従来より、ピンバッジは各種のものがあり、その装飾的価値や一定の事項を記念してその記念を表するために用いられるもの等が存在している。
特に装飾的価値を有するピンバッジに関しては宝飾品類をピンに予め装着してそのピンを身体に装着することにより装飾品として身につけるものが存在している。
例えば各種のピンバッジの先行例としては前記のもののほか、実登第３０７６１７５号や実登第３０８４２７６号、或いは実登第３０９９７７９号等が存在する。
【先行技術文献】
【特許文献】
【０００３】
【特許文献１】実登第３０７６１７５号
【特許文献２】実登第３０８４２７６号
【特許文献３】実登第３０９９７７９号
【考案の概要】
【考案が解決しようとする課題】
【０００４】
以上の様に、ピンバッジに関しては各種のものが存在するが、これらは予めピンの先端に取り外すことのできない装飾体が装着されているものをタイタック等で衣服等に装着するものである。
例えばピンバッジの他にタイピン等も存在するが同様に予めピンの先端に取り外すことのできない装飾体が装着されているものをタイタック等で衣服等に装着するものである。
【０００５】
従って、自ら任意の装飾体を構成してこれを着脱自在に装着するものではなく、そのデザイン的な自由度や応用範囲の広さを有してはいないものであった。
そこで本考案は係る点に鑑み、自ら自在にデザインを変更することができるばかりでなく自ら各種のデザインを選別や選択することができる装飾体を構成することのできるピンバッジの提供を課題とする。
【課題を解決するための手段】
【０００６】
係るため請求項１に係る考案は、先端部分にピン用装飾品を配したピン部と、このピン部を装着するためのピン先を係止する係止部２とを有し、該ピンに薄手の花弁状装飾体を挿通してピン用装飾品と係止部とで花弁状装飾体を係止するものであって、薄手の花弁状装飾体には孔を有し、一又は二以上の花弁状装飾体の各孔を用いてピンを挿通して着脱自在に花弁状装飾体を装着するピンバッジからなり、係る考案によって前記課題を達成できる。
或いは請求項２に係る考案のように花弁状装飾体に代えて／と共に、萼状装飾体・葉状装飾体・茎状装飾体・花状装飾体・草状装飾体のいずれか一又は二以上を用いるピンバッジを用いてもよい。
【０００７】
これらの場合、請求項３に係る考案のように、花弁状装飾体・萼状装飾体・葉状装飾体・茎状装飾体・花状装飾体・草状装飾体のいずれかの／いずれもの装飾体がフェルトにより構成されているピンバッジでも、請求項４に係る考案のように、花弁状装飾体・萼状装飾体・葉状装飾体・茎状装飾体・花状装飾体・草状装飾体のいずれかの／いずれもの装飾体が皮により構成されピンバッジを用いてもよい。
【０００８】
更に、請求項５に係る考案のように花弁状装飾体・萼状装飾体・葉状装飾体・茎状装飾体・花状装飾体・草状装飾体のいずれかの／いずれもの装飾体が布地により構成されているものでも、請求項６に係る考案のようにこれが編地により構成されているものでも、請求項７に係る考案のように鍵編地により構成されているものでも、請求項８に係る考案のように織地により構成されているピンバッジを用いてもよいものである。
【０００９】
或いは請求項９に係る考案のように花弁状装飾体・萼状装飾体・葉状装飾体・茎状装飾体・花状装飾体・草状装飾体の装飾体が不織布により構成されているものでも、請求項１０に係る考案のように紙により構成されているものでも、請求項１１に係る考案のように樹脂により構成されているものであってもよい。
【００１０】
更に請求項１２に係る考案のように花弁状装飾体・萼状装飾体・葉状装飾体・茎状装飾体・花状装飾体・草状装飾体が薄手の装飾体からなるものであってもよい。
又ピン用装飾品に関しては、請求項１３に係る考案のようにピンの先端に配したピン用装飾品が、宝石又は宝玉からなるものでも、請求項１４に係る考案のようにビーズにより構成されたピン用装飾品からなるものでもよい。
更に請求項１５に係る考案のようにピン部の先端に配したピン用装飾品が、虫を模した装飾品からなるものでも、請求項１６に係る考案のように花弁又は花の中心部分を模した装飾品からなるものであってもよい。
【００１１】
これらの他、花弁状装飾体・萼状装飾体・葉状装飾体・茎状装飾体・花状装飾体・草状装飾体に関しては請求項１７に係る考案のように星形形状の装飾体を含むものであっても、又請求項１８に係る考案のようにハート形状の装飾体を含むものであってもよい。
【考案の効果】
【００１２】
まず請求項１に係る考案によりピン部のピン用装飾品と係止具によってピンに挿通した花弁状装飾体を挟み込んでピンバッジを構成できる。
従って花弁状装飾体は着脱自在に装着するものであり、この花弁状装飾体を任意の形状で又任意の数挟み込めるものとなる。
このことより装飾的価値の高いピンバッジであるにもかかわらず自らの好み等や流行り等により自由にその装飾体を選定し又は組み合わせて各種の装飾的効果の高いパンバッジを作り出すことができるものである。
【００１３】
更に請求項２に係る考案により、花弁状装飾体の他自然界に存在し、かつ草や花や木等自然物に由来するこれらをモチーフ化などした装飾体を任意に選択しかつ組み合わせて用いることができる。
又請求項３に係る考案によりこれらの装飾体をフェルトで構成でき、請求項４に係る考案により皮により、又請求項５に係る考案によって布地により構成できる。
【００１４】
更に請求項６に係る考案によってこれらの装飾体を編地で構成でき、請求項７に係る考案によって鍵編地によって、又請求項８に係る考案によって織地により構成できる。
請求項９に係る考案によりこれらの装飾体を不織布により、請求項１０に係る考案により紙により、請求項１１に係る考案により樹脂によりそれぞれ構成される装飾体を用いてもよいものである。
【００１５】
以上のように極めて広範な材質を有する部材により構成できるものであり、応用範囲が広くかつ見栄えや手触りのよい各種の材質をもって装飾体を構成できる。
次に請求項１２に係る考案によって薄手の装飾体を用いるものであってもよく、これによりピン用装飾品と係止具間においてピンに挿通して挟み込んで着脱自在装着する装飾体がきっちりと挟み込める暑さを有するものとなるばかりでなく複数枚或いは他数枚重積状態で装着することもできるものとなる。
【００１６】
次に請求項１３に係る考案によりピン用装飾品として宝石又は宝玉を使用できるものであり、高級感あふれるピンバッジを提供できるものとなると共に宝飾品としてとして扱えるピンバッジの提供を可能とする。
更に請求項１４に係る考案によってピン用装飾品をビーズで構成でき、任意の各種形状を有するピン用装飾品を提供できる。
【００１７】
これらの場合、請求項１５に係る考案によって草や花に関連する虫を模したピン用装飾品を用いることができるものであって、草や花などをモチーフとした花弁等の形状の装飾体との関係上両者間に多大なつながりをもって構成できるものであり、外観視上も、自然界の姿を見事に表出できることであり、安定感や落ち着きなどをピンバッジに表現できるものとなり、デザイン性と共に人の感情に訴えることのできるデザインを有するピンバッジの提供ができる。
【００１８】
又請求項１６に係る考案によってピン用装飾品が草や花などをモチーフとした花弁等の形状の装飾体との関係上、全体で一つの形状を構成できるものとなり、両者相まって非常にデザイン性の高い各種の自然界の植物関係等のモチーフを完成できるものであり、よりリアルにかつ各種のデザイン性を紙等できるピンバッジの提供を可能とする。
【００１９】
或いは請求項１７及び１８に係る考案によって、装飾体に関して極めてデザイン性の高い星やハート等の形状よりなる装飾体を用いてもよく、各種のデザインを用いることができるものである。
【図面の簡単な説明】
【００２０】
【図１】本考案に係るピンバッジの一例を示す図
【図２】本考案に係るピンバッジの一例を示す図
【図３】本考案に係るピンバッジの一例を示す図
【図４】本考案に係るピンバッジの他の一例を示す図
【図５】本考案に係るピンバッジの他の一例を示す図
【図６】本考案に係るピンバッジの他の一例を示す図
【図７】本考案に係るピンバッジに用いる花弁状装飾体の一例を示す図
【図８】本考案に係るピンバッジに用いる花弁状装飾体の他の一例を示す図
【図９】本考案に係るピンバッジに用いる花弁状装飾体の他の一例を示す図
【図１０】本考案に係るピンバッジに用いる花弁状装飾体の他の一例を示す図
【考案を実施するための形態】
【００２１】
図１は、本考案に係るピンバッジの一例を示す図である。
まず、ピン部１とピン係止具のタイタックからなる係止部２とをその基本構成とし、該ピン部１のピン１２に挿通可能な孔４を有する薄手の花弁状装飾体３とを有する。
本図に示す通り、大きさや形状の異なる花弁状装飾体３を３つ、該装飾体の孔４にピン１２を挿通してピンバッジを形成するものである。
【００２２】
ピン部１の先端には宝石からなるピン用装飾品１０を爪１１で止めて装着している。
本図に示すピンの先端の他にダイヤモンドその他の各種宝石や宝玉類、クリスタルガラス、各種装飾品を配してもよいものである。
即ちピン部１の端部部分に装飾品を配していればよいものであり、少なくとも一端の先端及び先端近辺の先端部分にピン用装飾品１０を有するものであればよい。
【００２３】
この場合装飾品には前記した宝石などの他、例えば虫状のピン用装飾品やその他例えば花弁や花の中心部を表したピン用装飾品や或いは草などの一部を模して構成したピン用装飾品１０を用いてもよい。
或いは植物の一部をモチーフ化した装飾品や植物に関連する虫等の各種自然物をモチーフ化したものであってもよい。
例えばビーズなどでこれらのものを模したピン用装飾品１０を用いてもよく、或いは樹脂や金属等を用いて模したピン用装飾品１０をピン部１先端部分に有するものでもよい。
更には、星やハート等のその他の各種図形をモチーフしたものでもよい。
【００２４】
次にピン部１のピン１２に挿通する花弁状装飾体３はその中心部分にピン挿通用の孔４或いはこれに代わるものを有しており、ピン１２に着脱自在に挿通できるものである。
本図構成は３種類の大きさ及び形状の異なる花弁状装飾体３１、３２、３３を用いているが、この形や数量に限らず他の形状のものや大きさのものを用いてもよい。
更には図示するような３枚用いるのに限らず１枚でも、或いは２枚でも、或いは３枚以上任意の枚数用いるものであってもよい。
【００２５】
特にこの花弁状装飾体３はフェルトや皮、人工皮革、各種布例えば編地や織地、鍵網地、或いは不織布等を用いたものでも或いは紙、軟質樹脂により構成されているものでもよい。
少なくともピン１２に挿通できピンバッジ等からなる係止部２で押さえられるものであればよい。
従って薄手のものが最適であり、平板状や立体感のあるものであってもよい。
【００２６】
少なくともピン部１のピン用装飾体１０とピン１２先を係止するタイタック等の係止部２との間に挟み込むことによって装着するに際して、該挟み込める程度薄手のものであることが必要である。
従って挟み込めないような厚手のものを除くものであり、挟み込める程度の厚さを有するものであればよい。
このことより薄手のもののほか立体的であるが厚みの薄い薄手のものでもよい。
【００２７】
更に、花弁状装飾体３に関しては少なくとも花弁の形状をモチーフ化したものであればよく、更には葉状形状を模した葉状装飾体３や花自体を模した花状装飾体３、萼を模した萼状装飾体３或いは草自体を模した草状装飾体３等を用いるものであってもよい。
本考案上、花弁状装飾体３には花弁の形状をモチーフにしたものであっても、或いは葉状装飾体３を用いたものであっても、萼状装飾体３を用いたものであっても、その他の植物の一部を模した各種装飾体３を用いてもよいものである。
【００２８】
これらをいずれかひとつ或いは２つ以上の任意の数、或いはこの各種の装飾体３を任意に組み合わせたものであってもよい。
この様に各種の花弁状装飾体３等を構成することにより各種のデザインを任意に構成してピンバッジにより表出できるものとなる。
【００２９】
図２は、図１に示す構成を組み合わせた状態の一例を示す図である。
本図に示すように花弁状のデザインとピン部１の先の宝石とが見事なコントラストを表しデザイン性の高いピンバッジを提供できる。
特に花弁状等の装飾体３は着脱自在であるばかりでなく、任意の枚数や形のものに取り換えられるものであり、自らのデザインを該ピンバッジに表出できるものとなる。
【００３０】
図３は図２に示すピンバッジを横から視認した状態を示す図であり、薄手構成の花弁状からなる装飾体３がピンバッジのピン用装飾品１０とタイタック等の係止部２とできっちりと装着されているものである。
尚、現実における装着はこのタイタックは更に衣服等の布地を挟み込んで装着されることとなる。
【００３１】
図４は、例えば真珠のような宝玉をピンバッジのピン部１の先端にピン用装飾品１０として用い、更に花弁状装飾体３を１枚用い、更にピン係止具からなる係止部２を用いて装着する本考案に係るピンバッジの一例を示す。
係止部２であるピン係止具は前記のようなタイタックの他、本図に示すようなピン係止具でも或いはバタフライクラッチやその他のクラッチ等からなるピン係止具を用いるものでもよい。
【００３２】
少なくともピン１２先を係止して、この係止によってピン１２を被服等に装着可能な係止部であればよい。
図５は、図４に示す構成を組み合わせた状態の一例を示す図である。
本図においても花弁状のデザインとピン部１の先端の球体１０が見事なコントラストを表しデザイン性の高いピンバッジを提供できる。
【００３３】
図６は図５に示すピンバッジを横から視認した状態を示す図であり、薄手構成の花弁状装飾体３がピンバッジのピン用装飾品１０と係止部２とできっちりと装着されているものである。
図７は四葉の花弁を有し、かつピン挿通用の孔４を有する本考案に係るピンバッジに用いる花弁状装飾体３の一例を示す図である。
特に花弁の先端部分が横に広がった形態の一例を示す。
【００３４】
更に図８は、同様に四葉の花弁を有し、かつピン挿通用の孔４を有する本考案に係るピンバッジに用いる花弁状装飾体３の他の一例を示す図である。
図９は、五葉の花弁を有し、かつピン挿通用の孔４を有する本考案に係るピンバッジに用いる花弁状装飾体３の他の一例を示す図である。
この様に構成することによっても、さらなる異なるモチーフを用いた花弁形状の花弁状装飾体３の提供ができる。
【００３５】
図１０は、特に先端がとがった形状の花弁を押さえる萼のモチーフの薄手構成の萼状装飾体３の一例を示すものである。
この様に各種の装飾体を用いるものであってもよい。
又この形は星形にも見えるものであり、星等の自然物をモチーフとしたものでもよい。
尚、この他に葉の形状を模した装飾体でも、茎の形状を模した茎状装飾体でも、或いははなびらばかりでなく花全体を模した花状装飾体を用いてもよい。
【００３６】
或いは草の形状を模した草状装飾体を用いてもよいものである。
例えば四つ葉のクローバー等をモチーフにした草状装飾体を用いてもよい。
これらの他、ハート型等の抽象的な形状をモチーフ化したものでもよい。
特にハートはデザイン性が高く、人の気持ちを包含したデザインを構成できることからこの様な装飾体を用いたものでもよい。
【００３７】
その他、丸形状や三角形状、或いは四角形状、ひし形形状、多角形形状、その他各種の形状を用いて装飾体を構成したものでもよい。  以上のように各種の装飾体３を用いるものであってもよい。
【符号の説明】
【００３８】
１    ピン部
１０  ピン用装飾品
１１  爪
１２  ピン
２    係止部
３    装飾体
４    孔
【図１】
0003174063.tif 000003
【図２】
0003174063.tif 000004
【図３】
0003174063.tif 000005
【図４】
0003174063.tif 000006
【図５】
0003174063.tif 000007
【図６】
0003174063.tif 000008
【図７】
0003174063.tif 000009
【図８】
0003174063.tif 000010
【図９】
0003174063.tif 000011
【図１０】
0003174063.tif 000012